(57)【特許請求の範囲】
【請求項１】
製鉄所の熱延工場における加熱炉の動作を制御する産業用制御システムの監視装置であって、
過去に行われた前記加熱炉の制御操作に関する情報を格納する記憶手段と、
前記記憶手段に格納されている情報を参照してオペレータが行った前記加熱炉の制御操作の評価情報を作成する評価情報作成手段と、
前記評価情報作成手段によって作成された評価情報を表示する表示手段と、を備え、
前記記憶手段に格納されている情報には、過去の制御操作時における前記加熱炉の能率、加熱速度、及び省エネ指標に関する情報が含まれることを特徴とする産業用制御システムの監視装置。
【請求項２】
前記評価情報は、オペレータが行った前記加熱炉の制御操作の得点および過去の最高得点に関する情報を含むことを特徴とする請求項１に記載の産業用制御システムの監視装置。
【発明の詳細な説明】
【技術分野】
【０００１】
本発明は、生産設備の動作を制御する産業用制御システムの監視装置に関する。
【背景技術】
【０００２】
従来より、プラントの各機場における機器の運用状態、異常内容、プロセス値、および動作モードなどを示す機器情報を中央の監視装置に表示するシステムにおいて、オペレータが必要とする情報のみを提示することによってオペレータの監視負荷を下げる技術が知られている（特許文献１参照）。また、監視装置の状態を監視画面上に表示し、表示内容を所定周期で更新することによって、オペレータの監視負荷を軽減すると共に異常の発見を速やかに行うことを可能にする技術が知られている（特許文献２参照）。
【先行技術文献】
【特許文献】
【０００３】
【特許文献１】特開２０１０−９１４７６号公報
【特許文献２】特開２０１０−６１５３０号公報
【発明の概要】
【発明が解決しようとする課題】
【０００４】
しかしながら、従来技術によれば、監視画面の視認性や操作性の向上によってオペレータの監視負荷の削減や監視ミスの低減を実現することはできるが、監視作業に対するオペレータのモチベーションを向上させることによって、監視作業の高効率化を実現することはできない。このため、監視作業に対するオペレータのモチベーションを向上させることによって監視作業の高効率化を実現可能な監視装置の提供が期待されていた。
【０００５】
本発明は、上記課題に鑑みてなされたものであって、その目的は、監視作業の高効率化を実現可能な産業用制御システムの監視装置を提供することにある。
【課題を解決するための手段】
【０００６】
上記課題を解決し、目的を達成するために、本発明に係る産業用制御システムの監視装置は、生産設備の動作を制御する産業用制御システムの監視装置であって、過去に行われた前記生産設備の制御操作に関する情報を格納する記憶手段と、前記記憶手段に格納されている情報を参照してオペレータが行った前記生産設備の制御操作の評価情報を作成する評価情報作成手段と、前記評価情報作成手段によって作成された評価情報を表示する表示手段と、を備えることを特徴とする。
【０００７】
本発明に係る産業用制御システムの監視装置は、上記発明において、前記評価情報が、オペレータが行った前記生産設備の制御操作の得点および過去の最高得点に関する情報を含むことを特徴とする。
【発明の効果】
【０００８】
本発明に係る産業用制御システムの監視装置によれば、監視作業の高効率化を実現することができる。
【図面の簡単な説明】
【０００９】
【図１】図１は、本発明の一実施形態である監視装置が適用される産業用制御システムの全体構成を示すブロック図である。
【図２】図２は、図１に示す評価データＤＢ内に格納される評価データの一例を示す図である。
【図３】図３は、本発明の一実施形態である監視画面の構成を示す模式図である。
【発明を実施するための形態】
【００１０】
以下、本発明の一実施形態である産業用制御システムの監視装置の構成について説明する。
【００１１】
〔産業用制御システムの全体構成〕
始めに、図１，２を参照して、本発明の一実施形態である監視装置が適用される産業用制御システムの全体構成について説明する。
【００１２】
図１は、本発明の一実施形態である監視装置が適用される産業用制御システムの全体構成を示すブロック図である。図１に示すように、本発明の一実施形態である監視装置が適用される産業用制御システム１は、生産設備２と、制御装置３と、プロセスコンピュータ４と、表示装置５と、評価データデータベース（評価データＤＢ）６と、を主な構成要素として備えている。生産設備２は、各種製品又は半製品を生産する設備である。本実施形態では、製鉄所の熱延工場における加熱炉を生産設備２として想定している。
【００１３】
制御装置３は、オペレータの制御操作入力に従って生産設備２の動作を制御するものである。本実施形態では、オペレータは、制御装置３が生産設備２から取得したプロセスの温度や成分などに関する生産情報とプロセスコンピュータ４から取得したプロセスの温度目標値や成分目標値などに関する制御目標情報とに基づいて制御情報を入力することによって生産設備２の動作を制御する。
【００１４】
プロセスコンピュータ４は、ワークステーションなどの情報処理装置によって構成されている。プロセスコンピュータ４は、制御装置３の状態およびオペレータによる制御装置３の操作実績に関する制御実績情報と制御装置３が生産設備２から取得した生産情報とを制御装置３から取得する。プロセスコンピュータ４は、本発明に係る評価情報作成手段として機能する。
【００１５】
表示装置５は、液晶ディスプレイなどの公知の表示装置によって構成されている。詳しくは後述するが、表示装置５は、プロセスコンピュータ４の表示制御信号に従って生産設備２の動作を監視するために必要な各種情報を監視画面に表示する。オペレータは、表示装置５に表示された情報を参照して、生産設備２の動作を制御する。表示装置５は、本発明に係る表示手段として機能する。
【００１６】
評価データＤＢ６は、プロセスコンピュータ４が取得した制御実績情報を評価データとして格納する。図２は、評価データＤＢ６内に格納される評価データの一例を示す。図２に示すように、本実施形態では、評価データは、生産設備２の制御操作日時毎に、処理量などの加熱炉（生産設備２）の能率に関する情報、加熱速度に関する情報、燃料原単位などの省エネ指標に関する情報、および生産設備２を操作したオペレータが属するグループのＩＤに関する情報を含んでいる。評価データＤＢ６は、本発明に係る記憶手段として機能する。
【００１７】
〔監視画面の構成〕
次に、図３を参照して、表示装置５が表示する監視画面の構成について説明する。
【００１８】
図３は、本発明の一実施形態である監視画面の構成を示す模式図である。図３に示すように、表示装置５が表示する監視画面１１は、生産情報表示部１２、制御情報表示部１３、制御目標情報表示部１４、制御実績情報表示部１５、および最高記録情報表示部１６を備え、各部に表示される情報はプロセスコンピュータ４からの表示制御信号によって制御される。
【００１９】
生産情報表示部１２は、制御装置３を介してプロセスコンピュータ４が生産設備２から取得した生産情報が表示される画面領域である。制御情報表示部１３は、プロセスコンピュータ４が制御装置３から取得した制御情報が表示される画面領域である。制御目標情報表示部１４は、制御目標情報が表示される画面領域である。
【００２０】
制御実績情報表示部１５は、オペレータが行った生産設備２の制御操作実績およびその点数に関する情報が表示される画面領域である。最高記録情報表示部１６は、制御操作実績の過去の最高得点や最高記録、および最高得点や最高記録を出したオペレータに関する情報が最高記録情報として表示される画面領域である。
【００２１】
制御実績情報表示部１５に表示される制御操作実績の点数は、プロセスコンピュータ４が評価データＤＢ６内に格納されている評価データとオペレータが行った生産設備２の制御操作実績とを比較することによって算出される。具体的には、点数を算出する制御操作実績が省エネ指標である場合、プロセスコンピュータ４は、最高の省エネ指標とオペレータの操作による省エネ指標との差に応じて制御操作実績の点数を算出する。
【００２２】
以上の説明から明らかなように、本発明の一実施形態である産業用制御システムでは、プロセスコンピュータ４が、評価データＤＢ６内に格納されている評価データを参照してオペレータが行った生産設備２の制御操作の評価情報を作成し、作成された評価情報を表示装置５に表示する。このような構成によれば、評価情報を提示することによって監視作業に対するオペレータのモチベーションを向上させることができるので、監視作業の高効率化を実現することができる。
【００２３】
以上、本発明者によってなされた発明を適用した実施の形態について説明したが、本実施形態による本発明の開示の一部をなす記述及び図面により本発明は限定されることはない。すなわち、本実施形態に基づいて当業者等によりなされる他の実施の形態、実施例及び運用技術等は全て本発明の範疇に含まれる。
【符号の説明】
【００２４】
１  産業用制御システム
２  生産設備
３  制御装置
４  プロセスコンピュータ
５  表示装置
６  評価データデータベース（評価データＤＢ）
１１  監視画面
１２  生産情報表示部
１３  制御情報表示部
１４  制御目標情報表示部
１５  制御実績情報表示部
１６  最高記録情報表示部
【図１】
0005874330.tif 000002
【図２】
0005874330.tif 000003
【図３】
0005874330.tif 000004